(57)【特許請求の範囲】
【請求項１】
演奏用の操作子の操作状態に基づいて生成された楽音信号に応じて楽音を発生させる電子楽器であって、
響板と、
当該響板に対向する対向板と、
当該対向板の前記響板に対向する側の面に設けられ、前記楽音信号に応じて駆動されることで、前記対向板を振動させることによって、楽音を発生させる第１加振器と、
前記響板の前記対向板に対向する側の面に、前記第１加振器に対向するように設けられ、前記楽音信号に応じて駆動されることで、前記響板を振動させることによって、楽音を発生させる第２加振器と、
前記第１及び第２加振器に連結され、前記第１及び第２加振器を互いに共振させるための連結材と、
を備えることを特徴とする電子楽器。
【請求項２】
前記第１加振器と前記対向板の間には、当該対向板の共振を抑制するための第１クッションが設けられ、
前記第２加振器と前記響板の間には、当該響板の共振を抑制するための第２クッションが設けられており、
前記第１及び第２クッションは、互いに異なる振動特性を有することを特徴とする、請求項１に記載の電子楽器。
【請求項３】
前記電子楽器は、前記操作子が鍵であるアップライト型の電子ピアノであり、
前記鍵が載置された棚板と、
当該棚板の下側に設けられたペダル土台と、をさらに備え、
前記対向板は、前記棚板及び前記ペダル土台に取り付けられ、前記響板の前側を隙間なく覆う前板であることを特徴とする、請求項１又は２に記載の電子楽器。
【請求項４】
前記前板と前記棚板及び前記ペダル土台との間には、前記前板の共振を抑制するためのクッションが設けられていることを特徴とする、請求項３に記載の電子楽器。
【発明の詳細な説明】
【技術分野】
【０００１】
本発明は、演奏用の操作子の操作状態に基づいて生成された楽音信号に応じて、楽音を発生させる電子楽器に関する。
【背景技術】
【０００２】
従来、電気信号に応じて音を発生させるスピーカ装置として、例えば特許文献１に開示されたものが知られている。このスピーカ装置は、キャビネット、スピーカ及び加振器を備えている。スピーカは、キャビネットの前面に設けられたバッフルボードに取り付けられており、加振器は、キャビネットの背面に設けられた背面板に取り付けられている。また、スピーカには、オーディオアンプからの音響信号が入力され、それに応じて、スピーカから音が発生する。加振器にも、スピーカのものと同じ音響信号が入力され、それに応じて、加振器は、スピーカの発音に伴うキャビネットの振動を打ち消すように、キャビネットを加振する。以上により、この従来のスピーカ装置は、スピーカの発音に伴う振動によるキャビネットの移動を防止するようにしている。
【先行技術文献】
【特許文献】
【０００３】
【特許文献１】特開平１１−３２３８８号公報
【発明の概要】
【発明が解決しようとする課題】
【０００４】
また、近年、鍵の押鍵状態に基づいて生成された楽音信号に応じて、楽音を発生させる電子鍵盤楽器などの電子楽器が知られている。この種の電子楽器に、上述した従来のスピーカ装置を適用した場合には、次のような不具合がある。すなわち、上述したように、加振器は、キャビネットを加振することで、楽音を発生させるものではなく、スピーカの発音に伴うキャビネットの振動を打ち消すものであるため、楽音はあくまで、前面のスピーカからのみ発生するにすぎない。したがって、従来のスピーカ装置を適用した電子楽器では、電子楽器の広がりのある楽音を得ることができない。
【０００５】
また、従来のスピーカ装置では、スピーカ及び加振器が互いに独立してキャビネットに設けられているにすぎないので、電子楽器の楽音の音圧を十分に増大させることができず、電子楽器のダイナミックな楽音を得ることができない。
【０００６】
本発明は、以上のような課題を解決するためになされたものであり、互いに対向する対向板及び響板をそれぞれ振動させる第１及び第２加振器を互いに共振させることによって、広がりのあるダイナミックな楽音を得ることができる電子楽器を提供することを目的とする。
【課題を解決するための手段】
【０００７】
上記の目的を達成するために、請求項１に係る発明は、演奏用の操作子の操作状態に基づいて生成された楽音信号に応じて楽音を発生させる電子楽器であって、響板と、響板に対向する対向板と、対向板の響板に対向する側の面に設けられ、楽音信号に応じて駆動されることで、対向板を振動させることによって、楽音を発生させる第１加振器と、響板の対向板に対向する側の面に、第１加振器に対向するように設けられ、楽音信号に応じて駆動されることで、響板を振動させることによって、楽音を発生させる第２加振器と、第１及び第２加振器に連結され、第１及び第２加振器を互いに共振させるための連結材と、を備えることを特徴とする。
【０００８】
この構成によれば、対向板及び響板の互いに対向する面に、第１及び第２加振器がそれぞれ設けられており、第１及び第２加振器は、楽音信号に応じて駆動されることで、対向板及び響板をそれぞれ振動させ、それにより、楽音が発生する。このように、互いに対向する対向板及び響板の両方から楽音が発生するので、広がりのある楽音を得ることができる。
【０００９】
また、上述した構成によれば、第１及び第２加振器が、両加振器を互いに共振させるための連結材を介して互いに連結されているので、第１及び第２加振器が駆動されたときに、両加振器が互いに共振することによって、対向板及び響板を大きく振動させることができる。したがって、楽音の音圧を増大させ、ダイナミックな楽音を得ることができる。さらに、上述した効果、すなわち、広がりのあるダイナミックな楽音が得られるという効果を、電子楽器を構成する既存の対向板を利用して得ることができる。
【００１０】
請求項２に係る発明は、請求項１に記載の電子楽器において、第１加振器と対向板の間には、対向板の共振を抑制するための第１クッションが設けられ、第２加振器と響板の間には、響板の共振を抑制するための第２クッションが設けられており、第１及び第２クッションは、互いに異なる振動特性を有することを特徴とする。
【００１１】
この構成によれば、第１加振器と対向板の間に、対向板の共振を抑制するための第１クッションが設けられているので、対向板の共振を抑制でき、それにより、対向板からの楽音の周波数特性のピークディップを抑制することができる。また、第２加振器と響板の間に、響板の共振を抑制するための第２クッションが設けられているので、響板の共振を抑制でき、それにより、響板からの楽音の周波数特性のピークディップを抑制することができる。以上により、良好な楽音を得ることができる。また、第１及び第２クッションが互いに異なる振動特性を有するので、対向板の共振特性（固有振動数）及び響板の共振特性（固有振動数）が互いに異なる場合に、第１及び第２クッションの振動特性を、対向板の共振特性及び響板の共振特性にそれぞれ応じて、互いに異なるように設定することにより、上述した対向板及び響板の共振を抑制できるという効果を、より有効に得ることができる。
【００１２】
請求項３に係る発明は、請求項１又は２に記載の電子楽器において、電子楽器は、操作子が鍵であるアップライト型の電子ピアノであり、鍵が載置された棚板と、棚板の下側に設けられたペダル土台と、をさらに備え、対向板は、棚板及びペダル土台に取り付けられ、響板の前側を隙間なく覆う前板であることを特徴とする。
【００１３】
この構成によれば、対向板としての前板によって、響板の前側が隙間なく覆われている。これにより、響板からの楽音と、前板からの楽音が互いに干渉して打ち消し合うのを防止できるので、上述した効果、すなわち、広がりのあるダイナミックな楽音が得られるという効果を、適切に得ることができる。
【００１４】
請求項４に係る発明は、請求項３に記載の電子楽器において、前板と棚板及びペダル土台との間には、前板の共振を抑制するためのクッションが設けられていることを特徴とする。
【００１５】
この構成によれば、前板と棚板及びペダル土台との間に、前板の共振を抑制するためのクッションが設けられている。これにより、前板の共振を抑制できるので、前板からの楽音の周波数特性のピークディップを抑制でき、ひいては、良好な楽音を得ることができる。また、請求項２に係る発明による効果と相まって、より良好な楽音を得ることができる。
【図面の簡単な説明】
【００１６】
【図１】本実施形態によるアップライト型の電子ピアノを示す斜視図である。
【図２】図１の電子ピアノを示す背面図である。
【図３】図２のＡ−Ａ線に沿う断面の内部構成図である。
【図４】前板加振器及び響板加振器などを拡大するとともに、その一部を破断して示す図である。
【図５】本実施形態による電子ピアノの楽音の周波数と音圧の関係を、第１比較例とともに示す図である。
【図６】本実施形態による電子ピアノの楽音の周波数と音圧の関係を、第２比較例とともに示す図である。
【発明を実施するための形態】
【００１７】
以下、図面を参照しながら、本発明の好ましい実施形態について詳細に説明する。図１〜図３に示すように、本実施形態によるアップライト型の電子ピアノ１（電子楽器）は、ピアノ本体２と、ピアノ本体２を支持するスタンドユニット３を備えている。以下、演奏者から見て手前側を「前」、奥側を「後」、左側を「左」、右側を「右」として説明する。
【００１８】
ピアノ本体２及びスタンドユニット３の左右の側面には、両者２、３を覆うように親板４、４がそれぞれ取り付けられている。ピアノ本体２の外装は、左右の腕木５、５と、腕木５、５の下端部間及び上端部間にそれぞれ延びる水平な棚板６及び天板７と、腕木５、５の後端部間を覆う背板８などで構成されている。ピアノ本体２内には、鍵盤装置９、操作パネル１０、中高音用スピーカ１１及び高音用スピーカ１２などが設けられている。
【００１９】
鍵盤装置９は、棚板６上に左右方向に並設された多数の鍵１３（操作子）から成る鍵盤１４と、鍵１３ごとに設けられ、押鍵された鍵１３に連動して回動するハンマー（図示せず）と、鍵１３ごとに設けられ、その押鍵情報を検出する鍵センサ（図示せず）を備えている。鍵１３は、主に木質材から成り、アコースティックなアップライトピアノの鍵とほぼ同様に構成されていて、その中央において揺動自在に支持されている。鍵センサは、ゴムスイッチなどで構成され、対応する鍵１３の押鍵の有無（オン／オフ）及び押鍵速度（ベロシティ）を、押鍵に伴って回動するハンマーを介して検出する。なお、図１では、便宜上、一部の鍵１３の符号が省略されている。
【００２０】
操作パネル１０は、鍵盤１４の上方に配置されており、電子ピアノ１の音色、音量や音響効果などを設定するための操作ボタン及び操作レバーや、それらの設定状態を表示するための表示器などが設けられている。
【００２１】
中高音用スピーカ１１は、４つのミッドレンジスピーカで構成され、主として楽音の中高音成分を再生するものであり、ピアノ本体２内の上側の左右の後端部に、放音面が上方に向いた状態で配置されている。高音用スピーカ１２は、２つのドームツイータで構成され、主として楽音の高音成分を再生するものであり、ピアノ本体２の上部の左右の端部に、鍵盤蓋１６のスライド用の開口１７（図１参照）に臨み、放音面が前方に向いた状態で、配置されている。
【００２２】
スタンドユニット３は、左右一対の妻土台１８、１８、側板１９、１９及び棚受柱２０、２０と、ペダル土台２１、下前板２２（対向板）及び響板２３などをボックス状に組み立てたものである。下前板２２には、これを振動させることによって楽音を発生させるための前板加振器２４（第１加振器）が設けられており、これらの下前板２２及び前板加振器２４によって、スピーカが構成されている。また、響板２３には、これを振動させることによって楽音を発生させるための響板加振器２５（第２加振器）が設けられており、これらの響板２３及び響板加振器２５によって、響板スピーカが構成されている。下前板２２及び前板加振器２４と、響板２３及び響板加振器２５は、互いに前後対称に配置されている（図３参照）。
【００２３】
ペダル土台２１は、妻土台１８、１８の後部間に連結され、左右方向に延びており、その中央には、３つのペダル２６が回動自在に設けられている（図１参照）。各ペダル２６には、その操作の有無（オン／オフ）を検出するペダルセンサ（図示せず）が設けられている。なお、図３では、便宜上、ペダル２６を省略している。
【００２４】
上記の下前板２２は、木材で構成され、横長の矩形状に形成されている。また、下前板２２は、棚板６及びペダル土台２１に取り付けられており、棚板６、ペダル土台２１及び左右の側板１９、１９で取り囲まれた空間（以下「スタンド空間」という）の前端を、隙間なく覆っている。
【００２５】
具体的には、下前板２２は、棚板６及びペダル土台２１に、次のようにして取り付けられている。すなわち、下前板２２の背面の上縁部及び下縁部には、複数の下穴（図示せず）が左右方向に並んで形成されており、各下穴は、前後方向に延びている。また、棚板６の下面の中央及びペダル土台２１の上面の前端部の各々には、下前板２２を取り付けるための付木２７が、Ｌ字金具ＬＦを介して取り付けられており、左右方向に延びている。付木２７には、複数の下孔（図示せず）が、下前板２２の複数の下穴にそれぞれ対応するように形成されており、付木２７の下孔の各々は、前後方向に貫通している。付木２７の各下孔及び下前板２２の各下穴には、タッピングビスＴＢ１が、後方からこの順でねじ込まれており、それにより、下前板２２が棚板６及びペダル土台２１に取り付けられている。
【００２６】
また、下前板２２と付木２７の間には、下前板２２の共振を抑制するための前板クッション２８（クッション）が設けられている。前板クッション２８は、例えば、株式会社ロジャースイノアックによるＰＯＲＯＮ（登録商標、型番：ＨＨ−４８）で構成され、板状に形成されており、その厚さが、下前板２２の共振特性（固有振動数）に応じ、実験などによって、所定値に設定されている。また、下前板２２の背面の中央よりも若干、低音側の所定位置には、前記の前板加振器２４を取り付けるための複数の取付孔２２ａが形成されており（図４参照）、各取付孔２２ａは、前後方向に貫通している。取付孔２２ａの数は、例えば４つであり、図４は２つのみ示している。また、図４は、図３と異なる部分の断面を拡大して示している。
【００２７】
前板加振器２４は、所定の周波数帯域（例えば３０Ｈｚ〜２ｋＨｚ）で振動する振動特性を有する電磁式のものであり、図１及び図４に示すように、本体部２４ａと、下前板２２に振動を付与する加振部２４ｂを有している。本体部２４ａの底部（前端部）の外周面には、外方に突出するフランジ部２４ｃが設けられている。フランジ部２４ｃは、その前後方向に直交する平面が矩形状に形成されており、４つの角部を有している（図１参照）。フランジ部２４ｃの４つの角部の各々には、挿入孔２４ｄが形成されており（図４には２つのみ示）、挿入孔２４ｄは前後方向に貫通している。また、本体部２４ａの頂部（後端部）には、前後方向に延びるねじ穴２４ｅが形成されている。
【００２８】
また、下前板２２と前板加振器２４の間には、下前板２２の共振を抑制するための第１クッション２９が設けられている。第１クッション２９は、例えば、前述した前板クッション２８と同様にＰＯＲＯＮ（型番：ＨＨ−４８）で構成され、板状に形成されており、その厚さが、下前板２２の共振特性に応じ、実験などによって、例えば９ｍｍに設定されている。また、第１クッション２９には、複数の挿入孔２９ａが、前板加振器２４の複数の挿入孔２４ｄにそれぞれ対応するように形成されており、各挿入孔２９ａは、前後方向に貫通している。挿入孔２９ａの数は４つであるが、図４は２つのみ示している。下前板２２の各取付孔２２ａ、第１クッション２９の各挿入孔２９ａ及び前板加振器２４の各挿入孔２４ｄには、皿ねじＢ１が前方からこの順で挿入されており、この皿ねじＢ１には、ナットＮ１が後方から締め付けられている。これにより、前板加振器２４は、下前板２２の背面に取り付けられている。
【００２９】
前記の響板２３は、アコースティックなアップライトピアノの響板と同様、スプルスなどから成る複数のむくの板材を継ぎ合わせることによって、横長の矩形状に形成されており、下前板２２とは異なる共振特性（固有振動数）を有している。また、前記のスタンド空間の後端部には、その外周に沿って、打廻し３０が取り付けられており、響板２３は、この打廻し３０の前面に、次のようにして取り付けられている。すなわち、響板２３の上縁部、下縁部、左縁部及び右縁部の各々には、複数の下孔（図示せず）が並列に形成されており、各下孔は、前後方向に貫通している。打廻し３０には、複数の下穴（図示せず）が、響板２３の複数の下孔にそれぞれ対応するように形成されており、打廻し３０の下穴の各々は、前後方向に延びている。響板２３の各下孔及び打廻し３０の各下穴には、タッピングビスＴＢ２が前方からこの順でねじ込まれており、それにより、響板２３が打廻し３０の前面に取り付けられている。また、響板２３は、下前板２２と平行に配置され、下前板２２に対向しており、スタンド空間の後端を隙間なく覆っている。
【００３０】
さらに、響板２３と打廻し３０の間には、響板２３の共振を抑制するための響板クッション３１が設けられている。響板クッション３１は、例えば、前板クッション２８と同様にＰＯＲＯＮ（型番：ＨＨ−４８）で構成され、板状に形成されており、その厚さが、響板２３の共振特性（固有振動数）に応じ、実験などによって、前板クッション２９の厚さとは異なる所定値に設定されている。また、響板２３の背面には、複数の響棒３２が貼り付けられている。これらの響棒３２は、響板２３における振動の伝達速度を高めるためのものであり、互いに平行に斜めに延びている。さらに、響板２３の中央よりも若干低音側の所定位置には、前記の響板加振器２５を取り付けるための複数の取付孔２３ａが形成されており（図４参照）、各取付孔２３ａは、前後方向に貫通している。取付孔２３ａの数は、例えば４つであり、図４は３つのみ示している。
【００３１】
響板加振器２５は、例えば、前板加振器２６と同様に構成された電磁式のものであり、図２及び図４に示すように、本体部２５ａと、響板２３に振動を付与する加振部２５ｂを有している。また、本体部２５ａの底部（後端部）の外周面には、外方に突出するフランジ部２５ｃが設けられている。フランジ部２５ｃは、その前後方向に直交する平面が矩形状に形成されており、４つの角部を有している（図２参照）。フランジ部２５ｃの４つの角部の各々には、挿入孔２５ｄが形成されており（図４には３つのみ示）、挿入孔２５ｄは前後方向に貫通している。また、本体部２５ａの頂部（前端部）には、前後方向に延びるねじ穴２５ｅが形成されている。
【００３２】
また、響板２３と響板加振器２５の間には、響板２３の共振を抑制するための第２クッション３３が設けられている。第２クッション３３は、例えば、前述した第１クッション２９と同様にＰＯＲＯＮ（型番：ＨＨ−４８）で構成され、板状に形成されており、その厚さが、響板２３の共振特性に応じ、実験などにより、例えば６ｍｍに設定されていて、第１クッション２９よりも薄くなっている。また、第２クッション３３には、複数の挿入孔３３ａが、響板加振器２５の複数の挿入孔２５ｄにそれぞれ対応するように形成されており、各挿入孔３３ａは、前後方向に貫通している。挿入孔３３ａの数は例えば４つであるが、図４は３つのみ示している。響板２３の各取付孔２３ａ、第２クッション３３の各挿入孔３３ａ及び響板加振器２５の各挿入孔２５ｄには、皿ねじＢ２が後方からこの順で挿入されており、この皿ねじＢ２には、ナットＮ２が前方から締め付けられている。これにより、響板加振器２５は、響板２３の前面に取り付けられている。
【００３３】
以上の構成の前板加振器２４及び響板加振器２５は、前後方向に互いに対向しており、前後方向に延びる一つの直線上に配置されている。また、前板加振器２４及び響板加振器２５には、両加振器２４、２５を互いに共振させるための連結材３４が連結されている。連結材３４は、鉄で構成され、棒状に形成されており、前後方向に延びている。また、連結材３４の前端部及び後端部には、ねじ３４ａ及びねじ３４ｂがそれぞれ形成されており、これらのねじ３４ａ及び３４ｂは、前述した前板加振器２４のねじ穴２４ｅ及び響板加振器２５のねじ穴２５ｅに、それぞれねじ込まれている。これにより、連結材３４が両加振器２４、２５に連結されている。
【００３４】
さらに、電子ピアノ１には、ＣＰＵや、ＲＡＭ、ＲＯＭを有するＥＣＵで構成された楽音生成装置（いずれも図示せず）が設けられている。この楽音生成装置には、前述した鍵センサやペダルセンサからの検出信号が入力される。楽音生成装置は、入力された検出信号に応じ、ＲＯＭに記憶されたプログラムに従って、駆動信号を生成するとともに、生成された駆動信号を、前板加振器２４及び響板加振器２５に入力する。これにより、前板加振器２４及び響板加振器２５は、鍵１３の押鍵状態などに基づく駆動信号により駆動されることで、下前板２２及び響板２３をそれぞれ振動させることによって、楽音を発生させる。この場合、下前板２２及び響板２３を互いに同じ位相で振動させるために、前板加振器２４及び響板加振器２５は、上記の駆動信号による駆動によって、互いに逆の位相（例えば１８０°ずれた位相）で振動するように駆動される。これは、図３及び図４に示すように、両加振器２４、２５が、連結材３４を間にして前後対象に設けられているためである。
【００３５】
また、図５は、プレイヤーポイント（演奏者の耳の位置）で測定された電子ピアノ１の楽音の周波数（Ｈｚ）と音圧（Ｈｚ）の関係（太い実線で図示）を、第１比較例（細い二点鎖線で図示）とともに示している。この第１比較例は、本実施形態と異なり、加振器を響板にのみ取り付け、下前板には加振器を取り付けなかった場合の例である。図５では、周波数を対数で表記している。同図に示すように、本実施形態によれば、第１比較例の場合と比較して、より大きな音圧を得ることができるとともに、より低音側の領域で音圧を得ることができる。
【００３６】
さらに、図６は、プレイヤーポイントで測定された電子ピアノ１の楽音の周波数（Ｈｚ）と音圧（ｄＢ）の関係（太い実線で図示）を、第２比較例（細い二点鎖線で図示）とともに示している。この第２比較例は、第１及び第２クッションの厚さをいずれも６ｍｍに設定した場合の例である。図６では、図５と同様、周波数を対数で表記している。図６に示すように、本実施形態によれば、第２比較例の場合と比較して、中・高音域における楽音の周波数特性のピークディップを抑制することができる。
【００３７】
以上のように、本実施形態によれば、下前板２２及び響板２３の互いに対向する面に、前板加振器２４及び響板加振器２５がそれぞれ設けられており、前板加振器２４及び響板加振器２５は、鍵１３の押鍵状態などに基づく検出信号に応じて駆動されることで、下前板２２及び響板２３をそれぞれ振動させ、それにより、楽音が発生する。このように、互いに対向する下前板２２及び響板２３の両方から楽音が発生するので、広がりのある楽音を得ることができる。
【００３８】
また、前板加振器２４及び響板加振器２５が、両加振器２４、２５を互いに共振させるための連結材３４を介して互いに連結されているので、前板加振器２４及び響板加振器２５が駆動されたときに、両加振器２４、２５が互いに共振することによって、下前板２２及び響板２３を大きく振動させることができる。したがって、楽音の音圧を増大させ、ダイナミックな楽音を得ることができる。さらに、上述した効果、すなわち、広がりのあるダイナミックな楽音が得られるという効果を、電子ピアノ１を構成する既存の下前板２２を利用して得ることができる。
【００３９】
また、前板加振器２４と下前板２２の間に、下前板２２の共振を抑制するための第１クッション２９が設けられているので、下前板２２の共振を抑制でき、それにより、下前板２２からの楽音の周波数特性のピークディップを抑制することができる。さらに、響板加振器２５と響板２３の間に、響板２３の共振を抑制するための第２クッション３３が設けられているので、響板２３の共振を抑制でき、それにより、響板２３からの楽音の周波数特性のピークディップを抑制することができる。以上により、良好な楽音を得ることができる。また、第１及び第２クッション２９、３３の厚さが、下前板２２の共振特性及び響板２３の共振特性にそれぞれ応じて、互いに異なる大きさに設定されており、それにより両クッション２９、３３が、下前板２２の共振特性及び響板２３の共振特性にそれぞれ応じた互いに異なる振動特性を有するので、上述した下前板２２及び響板２３の共振を抑制できるという効果を、有効に得ることができる。
【００４０】
また、下前板２２によって、響板２３の前側が隙間なく覆われている。これにより、響板２３からの楽音と、下前板２２からの楽音が互いに干渉して打ち消し合うのを防止できるので、上述した効果、すなわち、広がりのあるダイナミックな楽音が得られるという効果を、適切に得ることができる。
【００４１】
さらに、下前板２２と棚板６及びペダル土台２１との間に、下前板２２の共振を抑制するための前板クッション２８が設けられている。これにより、下前板２２の共振を抑制できるので、下前板２２からの楽音の周波数特性のピークディップを抑制でき、ひいては、良好な楽音を得ることができる。また、第１クッション２９による共振抑制効果と相まって、より良好な楽音を得ることができる。
【００４２】
なお、本発明は、説明した実施形態に限定されることなく、種々の態様で実施することができる。例えば、実施形態では、前板加振器２４及び響板加振器２５を、前後方向に延びる（下前板２２及び響板２３に直交する）一つの直線上に配置しているが、下前板２２及び響板２３に対して斜めに延びる一つの直線上に配置してもよい。また、実施形態では、連結材３４を、鉄で構成しているが、他の適当な材料、例えば合成樹脂や木材で構成してもよい。さらに、実施形態では、連結材３４を、棒状に形成しているが、他の適当な形状、例えば板状に形成してもよい。
【００４３】
また、実施形態では、前板加振器２４、響板加振器２５及び連結材３４の数は、それぞれ１つであるが、２つ以上でもよい。この場合、複数の前板加振器及び響板加振器の周波数特性を互いに異ならせ、高音用の前板加振器及び響板加振器と、中音用の前板加振器及び響板加振器と、低音用の前板加振器及び響板加振器に分けて設けてもよい。さらに、実施形態では、第１及び第２クッション２９、３３を、ＰＯＲＯＮで構成しているが、下前板２２及び響板２３の共振を抑制するのに適した他の材料、例えば、ウレタンフォームや、ゴムなどで構成してもよい。また、実施形態では、第１及び第２クッション２９、３３を互いに同じ材料（ＰＯＲＯＮ）で構成するとともに、両クッション２９、３３の厚さを互いに異ならせることによって、両クッション２９、３３の振動特性を互いに異ならせているが、両クッションを互いに異なる材料で構成したり、両クッションの密度や強度などを互いに異ならせたりすることによって、両クッションの振動特性を互いに異ならせてもよい。以上の第１及び第２クッション２９、３３に関するバリエーションは、前板クッション２８及び響板クッション３１についても同様に当てはまる。
【００４４】
さらに、実施形態は、上前板が設けられていない電子ピアノ１に本発明を適用した例であるが、本発明は、上前板が設けられた電子ピアノにも適用可能である。この場合、前板加振器を、上前板及び下前板の少なくとも一方に設けてもよい。また、実施形態は、アップライト型の電子ピアノ１に本発明を適用した例であるが、本発明は、グランド型の電子ピアノはもちろん、他の適当な電子楽器、例えば、パーカッション型の電子楽器などに適用してもよいことは、もちろんである。本発明をグランド型の電子ピアノに適用した場合、鍵盤などが載置される棚板が、本発明における対向板に相当する。その他、本発明の趣旨の範囲内で、細部の構成を適宜、変更することが可能である。
【符号の説明】
【００４５】
１  電子ピアノ（電子楽器）
１３  鍵（操作子）
２２  下前板（対向板）
２３  響板
２４  前板加振器（第１加振器）
２５  響板加振器（第２加振器）
２８  前板クッション（クッション）
２９  第１クッション
３３  第２クッション
３４  連結材
【図１】
0006442201.tif 000002
【図２】
0006442201.tif 000003
【図３】
0006442201.tif 000004
【図４】
0006442201.tif 000005
【図５】
0006442201.tif 000006
【図６】
0006442201.tif 000007